(57)【要約】【課題】最小限の仮設設備量で、きわめて短い期間に、作業員の安全性を担保しながら、ハウジングに含まれるダイオキシン類の処理を行うことが可能となるダイオキシン類の除去方法を提供する。【解決手段】内部をダイオキシン類で汚染されたハウジングからの該ダイオキシン類の除去に用いられるダイオキシン類の除去方法であって、ハウジング（焼却設備６１）において換気口１を設置する換気口設置工程と、換気口１を除いてハウジング（焼却設備６１）を密閉するハウジング密閉工程と、ダイオキシン類を気化させることが可能である高温の空気を発生させる高温空気発生工程と、発生した高温の空気を用いて換気口１を通じてハウジング（焼却設備６１）の換気を行う高温空気換気工程と、を含むダイオキシン類の除去方法である。【選択図】　図１
2004089804.tif 000002
【特許請求の範囲】
【請求項１】
内部をダイオキシン類で汚染されたハウジングからの該ダイオキシン類の除去に用いられるダイオキシン類の除去方法であって、
前記ハウジングにおいて換気口を設置する換気口設置工程と、
前記換気口を除いて前記ハウジングを密閉するハウジング密閉工程と、
ダイオキシン類を気化させることが可能である高温の空気を発生させる高温空気発生工程と、
発生した高温の空気を用いて前記換気口を通じて前記ハウジングの換気を行う高温空気換気工程と、を含むことを特徴とする、
ダイオキシン類の除去方法。
【請求項２】
前記換気口を通じて排出された高温の空気に含まれるダイオキシン類を処理するダイオキシン類処理手段を含むことを特徴とする、
請求項１に記載のダイオキシン類の除去方法。
【請求項３】
前記高温空気発生工程は、新設された焼却設備を通常の方法により稼働させることで行うことを特徴とする、
請求項１又は請求項２に記載のダイオキシン類の除去方法。
【発明の詳細な説明】
【０００１】
【発明の属する技術分野】
本発明は、内部をダイオキシン類で汚染された焼却設備その他のハウジングからのダイオキシン類の除去に用いられるダイオキシン類の除去方法に関する。
【０００２】
【従来の技術】
従来においては、内部をダイオキシン類で汚染されたハウジングからハウジングの原形をとどめたままの状態でダイオキシン類を除去する方法は存在しなかったが、ハウジングを解体して得られた分割片をダイオキシン類の処理設備で無害化処理することとした、いわばダイオキシン類の処理方法がある。
ここで、ダイオキシン類とは、ダイオキシン類対策特別措置法で規定されているポリ塩化ジベンゾフラン（ＰＣＤＦ）、ポリ塩化ジベンゾ−パラ−ジオキシン（ＰＣＤＤ）、コプラナ−ポリ塩化ビフェニル（コプラナ−ＰＣＢ）の他、これらの前駆体であるクロロベンゼン、クロロフェノールを含めたものをいう。
すなわち、従来におけるダイオキシン類の処理方法としては、例えば図３に示すように、内部をダイオキシン類で汚染されたハウジング１０１を包囲することで密閉状態におく仮設のテントハウス１０２を設置するテントハウス構築工程と、テントハウス１０２の内部において防護服を着用した作業員（図示外）が特殊仕様の重機１０３を用いてハウジング１０１を解体するハウジング解体工程と、ダイオキシン類を含む解体したハウジング１０１の分割片（図示外）を密閉・梱包してダイオキシン類の処理設備まで運搬する分割片運搬工程と、ダイオキシン類の処理設備において分割片に含まれるダイオキシン類を無害化処理するダイオキシン類無害化処理工程とから構成されるものがある。
【０００３】
このようなダイオキシン類の処理方法によれば、テントハウス１０２の構築、ハウジング１０１の解体、ハウジング１０１の分割片の運搬及びダイオキシン類の無害化処理の各工程を含むものとして構成されているので、ハウジング１０１に含まれるダイオキシン類の処理を行うに際して、ダイオキシン類の拡散防止効果が確実かつ十分に得られることとなる。
【０００４】
【発明が解決しようとする課題】
しかしながら、ダイオキシン類の拡散を防止するには、ハウジング１０１を密閉状態におくことが必要となるが、このようなダイオキシン類の処理方法では、そのようなハウジング１０１の密閉はハウジング１０１の全体を仮設のテントハウス１０２で包囲する形式で行う必要があることから、テントハウス１０２やこれに付随して必要となる仮設設備量が膨大化してしまう問題がある。
【０００５】
また、テントハウス１０２の内部において防護服を着用した作業員がハウジング１０１を解体するハウジング解体工程を含むものとして構成されているので、作業員の暴露を確実に防止するための、厳重かつ煩雑な作業管理が必要となるのみならず、ハウジング１０１の解体作業やハウジング１０１の分割片の密閉・梱包作業が、宇宙服のような重装備な防護服を着用して行うものであり、作業効率が極めて悪いという問題がある。
【０００６】
加えて、そのような防護服を着用して行うハウジング１０１の解体作業は、高所作業を含むものとして構成されているので、安全作業の確保が実際上非常に困難であるという問題もある。
【０００７】
そこで、本発明の課題は、仮設費用の低減効果及び作業効率の向上効果が十分に得られるように、最小限の仮設設備量で、きわめて短い期間に、作業員の安全性を担保しながら、ハウジングに含まれるダイオキシン類の処理を行うことが可能となるようなダイオキシン類の除去方法を提供することにある。
【０００８】
【課題を解決するための手段】
すなわち、本発明に係るダイオキシン類の除去方法は、内部をダイオキシン類で汚染されたハウジングからのダイオキシン類の除去に用いられる方法として構成されている。
【０００９】
これは、以下の各工程を含む方法として構成されている。
すなわち、ハウジングにおいて換気口を設置する換気口設置工程。
換気口を除いてハウジングを密閉するハウジング密閉工程。
ダイオキシン類を気化させることが可能である高温の空気を発生させる高温空気発生工程。
そして、発生した高温の空気を用いて換気口を通じてハウジングの換気を行う高温空気換気工程である。
【００１０】
このようなダイオキシン類の除去方法によれば、換気口の設置、ハウジングの密閉、高温の空気の発生及び発生した高温の空気の換気の各工程を含むものとして構成されているので、最小限の仮設設備量で、きわめて短い期間に、作業員の安全性を担保しながら、ハウジングに含まれるダイオキシン類の処理を行うことが可能となる。
したがって、これによれば、仮設費用の低減効果及び作業効率の向上効果が十分に得られることが可能となる。
【００１１】
このような本発明に係るダイオキシン類の除去方法において、ダイオキシン類の除去のみならず、ダイオキシン類の処理をも行うこととして、ダイオキシン類の拡散防止効果を担保しようとする観点からすれば、換気口を通じて排出された高温の空気に含まれるダイオキシン類を処理するダイオキシン類処理手段を含むことが好ましい。
【００１２】
この場合において、新設された焼却設備により発生するエネルギーを有効利用することとして、ダイオキシン類の除去費用の低減を図るという観点からすれば、高温空気発生工程は、新設された焼却設備を通常の方法により稼働させることで行うことが好ましい。
【００１３】
【発明の実施の形態】
以下、添付図面に基づいて本発明の実施の形態を詳細に説明する。
【００１４】
なお、ここでは、ハウジングが焼却設備である場合について説明するが、これに限られるものではなく、ハウジングが焼却設備以外の場合でも、以下の説明が妥当する。
【００１５】
［ダイオキシン類の除去装置］
図１は本発明の一実施の形態に係るダイオキシン類の除去方法が具現化されたダイオキシン類の除去装置の全体構成を示すブロック図である。
【００１６】
本発明の一実施の形態に係るダイオキシン類の除去装置は、図１に示すように、内部をダイオキシン類で汚染されたハウジングたる焼却設備６１からダイオキシン類を除去する目的に用いられるものとして構成されている。
【００１７】
ここで、焼却設備６１は、同図に示すように、焼却炉６１ａと、煙突６１ｂと、これらを互いに連通させる役割を果たす連通路６１ｃとを含むものとして構成されている。
【００１８】
このダイオキシン類の除去装置は、同図に示すように、換気口１と、ハウジング密閉手段２と、高温空気発生手段３と、高温空気換気手段４と、ダイオキシン類処理手段５とを含むものとして構成されている。
【００１９】
以下、これらの各構成要素についてさらに詳細に説明する。
【００２０】
（１）換気口１
換気口１は、同図に示すように、吸入口１１及び排出口１２からなるものとして構成されており、焼却設備６１において設置されるものとして構成されている。
【００２１】
具体的には、吸入口１１は、同図に示すように、焼却炉６１ａの内部に連通する吸入管１１ａが固着される部分であって焼却炉６１ａの下部において設置されている。排出口１２は、同図に示すように、煙突６１ｂの内部に連通する排出管１２ａが固着される部分であって煙突６１ｂの上部において設置されている。
【００２２】
（２）ハウジング密閉手段２
ハウジング密閉手段２は、吸入口１１及び排出口１２を除いて焼却設備６１を密閉する役割を果たすものとして構成されている。
【００２３】
具体的には、ハウジング密閉手段２としては、同図に示すように、煙突６１ｂの頂部開口を密閉する煙突開口密閉手段２１と、焼却炉６１ａの側底部開口を密閉する焼却炉開口密閉手段２２とを含むものとして構成されている。
【００２４】
（３）高温空気発生手段３
高温空気発生手段３は、ダイオキシン類を気化させることが可能である高温の空気を発生させる役割を果たすものとして構成されている。
【００２５】
具体的には、高温空気発生手段３としては、同図に示すように、新設された焼却設備３１と、焼却炉６１ａの内部及び外部に収容されている焼却炉用ヒーター３２並びに煙突６１ｂの内部及び外部に収容されている煙突用ヒーター３３とを含むものとして構成されている。
【００２６】
ここで、焼却炉用ヒーター３２及び煙突用ヒーター３３としては、図示しないが、それぞれ焼却設備６１の内部温度を検出できる温度センサーを含むものとして構成されており、この温度センサーにより検出された焼却設備６１の内部温度に基づいて必要な温度であるダイオキシン類気化温度以上が確保されるように稼働することが可能となっている。
【００２７】
新設された焼却設備３１を通常の方法により稼働させることで高温の空気を発生させることができることから、このような新設された焼却設備３１によれば、これにより発生するエネルギーを有効利用することが可能となっており、これにより、ダイオキシン類の除去費用の低減を図ることが可能となっている。
【００２８】
また、このような焼却炉用ヒーター３２及び煙突用ヒーター３３によれば、新設された焼却設備３１で発生した高温の空気が吸入口１１から排出口１２に至るまでにダイオキシン類を気化させることができない程度にまで温度低下してしまう事態を有効に回避することが可能となっている。
【００２９】
なお、本実施の形態における高温空気発生手段３としては、新設された焼却設備３１並びにこれを補完する焼却炉用ヒーター３２及び煙突用ヒーター３３を用いることとしたが、これに限られるものではなく、例えばバーナーなどの熱源を利用する方法を用いることも可能である。
【００３０】
（４）高温空気換気手段４
高温空気換気手段４は、発生した高温の空気を用いて吸入口１１及び排出口１２を通じて焼却設備６１の換気を行う役割を果たすものとして構成されている。
【００３１】
具体的には、高温空気換気手段４としては、同図に示すように、排出管１２ａの途中であって排出口１２からダイオキシン類無害化装置５１までの間において配設される高温空気循環ファン４１と、吸入管１１ａの途中であって吸入口１１から新設された焼却設備３１までの間において配設され、逆流防止バルブとしての役割をも果たす吸入量調整用バルブ４２と、排出管１２ａの途中のうち排出口１２からダイオキシン類無害化装置５１までの間であって高温空気循環ファン４１の下流側に配設される排出量調整用バルブ４３とを含むものとして構成されている。
【００３２】
（５）ダイオキシン類処理手段５
ダイオキシン類処理手段５は、排出口１２を通じて排出された高温の空気に含まれるダイオキシン類を処理する役割を果たすものとして構成されている。
【００３３】
具体的には、ダイオキシン類処理手段５としては、同図に示すように、ダイオキシン類を分解して無害化する役割を果たすダイオキシン類無害化装置５１と、分解したダイオキシン類を再結合させないようにする吸着器５２とを含むものとして構成されている。
【００３４】
ここで、ダイオキシン類無害化装置５１としては、同図に示すように、吸入側及び排出側においてダイオキシン類濃度センサー又はダイオキシン類濃度を測定するためのサンプリング口を含むものとして構成されている。これにより、ダイオキシン類無害化装置５１から排出された空気にダイオキシン類が含まれていない旨の確認をすることが可能となっている。
【００３５】
なお、このようなダイオキシン類無害化装置５１としては、例えば電子加速器等の放射線照射によるもの、ダイオキシン類対応焼却炉による高温処理によるもの、放電、紫外線照射又は触媒によるもの、オゾン／過酸化水素処理によるもの、超臨界水処理によるもの等を適宜選定して用いることができる。
【００３６】
また、ダイオキシン類無害化装置５１として、ダイオキシン類対応焼却炉を採用した場合には、このダイオキシン類無害化装置５１たるダイオキシン類対応焼却炉における排出口から焼却炉６１ａにおける吸入口１１までの間を管路でつなぐことで、ダイオキシン類対応焼却炉を高温空気発生手段３として兼用できる。
【００３７】
つまり、このようなダイオキシン類無害化装置５１によれば、ダイオキシン類の除去のみならず、ダイオキシン類の処理をも行うことが可能となっており、これにより、ダイオキシン類の拡散防止効果を担保することが可能となっている。
【００３８】
［ダイオキシン類の除去方法］
図２は本発明の一実施の形態に係るダイオキシン類の除去方法の全体構成を説明するフローチャートである。
【００３９】
本実施の形態において、ダイオキシン類の除去方法は、上記したようなダイオキシン類の除去装置を用いて行うものであり、図２にフローチャートとして示すように、換気口設置工程〜ダイオキシン類処理工程までの各工程により構成されている。以下、図２を用いて、図１を参照にしながら、各工程について説明する。
【００４０】
（１）換気口設置工程
これは、焼却設備６１において換気口１としての吸入口１１及び排出口１２を設置する工程である。
【００４１】
具体的には、吸入口１１は、焼却炉６１ａの内部に連通する吸入管１１ａが固着される部分のうち焼却炉６１ａの下部において設置する。
【００４２】
一方、排出口１２は、煙突６１ｂの内部に連通する排出管１２ａが固着される部分のうち煙突６１ｂの上部において設置する。
【００４３】
（２）ハウジング密閉工程
これは、吸入口１１及び排出口１２を除いて焼却設備６１を密閉する工程である。
【００４４】
具体的には、煙突開口密閉手段２１を用いて煙突６１ｂの頂部開口を密閉するとともに、焼却炉開口密閉手段２２を用いて焼却炉６１ａの側底部開口を密閉する。
【００４５】
（３）高温空気発生工程
これは、ダイオキシン類を気化させることが可能であるダイオキシン類気化温度（３００℃）以上の高温の空気を発生させる工程である。
【００４６】
具体的には、新設された焼却設備３１通常の方法により稼働させることにより、ダイオキシン類気化温度（３００℃）以上の高温の空気を発生させる。
【００４７】
ここで、新設された焼却設備３１で発生した高温の空気が吸入口１１から排出口１２に至るまでにダイオキシン類を気化させることができない程度にまで温度低下する場合には、焼却炉６１ａの内部及び外部に収容されている焼却炉用ヒーター３２並びに煙突６１ｂの内部及び外部に収容されている煙突用ヒーター３３を用いて新設された焼却設備３１を補完する。
【００４８】
具体的には、焼却炉用ヒーター３２及び煙突用ヒーター３３は、温度センサーにより検出した焼却設備６１の内部温度から、ダイオキシン類気化温度以上が確保できないと判断される場合に稼働することとなる。
【００４９】
（４）高温空気換気工程
これは、発生した高温の空気を用いて換気口１としての吸入口１１及び排出口１２を通じて焼却設備６１の換気を行う工程である。
【００５０】
具体的には、高温空気循環ファン４１を用いて、吸入口１１から新設された焼却設備３１で発生したダイオキシン類気化温度以上にある高温の空気を吸入するとともに、排出口１２から気化したダイオキシン類を含む高温の空気を排出する。
【００５１】
ここで、吸入量の調整は、吸入量調整用バルブ４２を用いて行う。また、排出量の調整は、排出量調整用バルブ４３を用いて行う。
【００５２】
（５）ダイオキシン類処理工程
これは、排出口１２を通じて排出された高温の空気に含まれるダイオキシン類を処理する工程である。
【００５３】
具体的には、ダイオキシン類無害化装置５１を用いてダイオキシン類を分解して無害化するとともに、吸着器５２を用いて分解したダイオキシン類を再結合させないようにする。
【００５４】
そして、ダイオキシン類濃度センサー等を用いてダイオキシン類無害化装置５１から排出された空気にダイオキシン類が含まれていない旨の確認ができたとき、本実施の形態に係るダイオキシン類の除去方法が終了する。
【００５５】
すなわち、このようなダイオキシン類の除去方法によれば、換気口１の設置、焼却設備６１の密閉、高温の空気の発生及び発生した高温の空気の換気の各工程を含むものとして構成されているので、最小限の仮設設備量で、きわめて短い期間に、作業員の安全性を担保しながら、焼却設備６１に含まれるダイオキシン類の処理を行うことが可能となっている。
【００５６】
したがって、これによれば、仮設費用の低減効果及び作業効率の向上効果が十分に得られることが可能となっている。
【００５７】
【発明の効果】
本発明に係るダイオキシン類の除去方法によれば、仮設費用の低減効果及び作業効率の向上効果が十分に得られることとなる。
【図面の簡単な説明】
【図１】本発明の一実施の形態に係るダイオキシン類の除去方法が具現化されたダイオキシン類の除去装置の全体構成を示すブロック図である。
【図２】本発明の一実施の形態に係るダイオキシン類の除去方法の全体構成を説明するフローチャートである。
【図３】従来例であるダイオキシン類の除去方法の全体構成を説明するブロック図である。
【符号の説明】
１　換気口
２　ハウジング密閉手段
３　高温空気発生手段
４　高温空気換気手段
５　ダイオキシン類処理手段
１１　吸入口
１１ａ　吸入管
１２　排出口
１２ａ　排出管
２１　煙突開口密閉手段
２２　焼却炉開口密閉手段
３１　新設された焼却設備
３２　焼却炉用ヒーター
３３　煙突用ヒーター
４１　高温空気循環ファン
４２　吸入量調整用バルブ
４３　排出量調整用バルブ
５１　ダイオキシン類無害化装置
５２　吸着器
６１　焼却設備（ハウジング）
６１ａ　焼却炉
６１ｂ　煙突
６１ｃ　連通路
１０１　ハウジング
１０２　テントハウス
１０３　重機
【図１】
2004089804.tif 000003
【図２】
2004089804.tif 000004
【図３】
2004089804.tif 000005